【事件の表示】
　特願２００５−２５３２０４「表示装置」拒絶査定不服審判事件〔平成１８年　３月１６日出願公開、特開２００６−　７２３６６〕について、次のとおり審決する。
【結　論】
　本件審判の請求は、成り立たない。
【理　由】
Ｉ．手続の経緯 
　本願は、平成１３年９月２６日に出願した特願２００１−２９２８５９号（以下「原出願」という。）の一部を平成１７年９月１日に新たな特許出願としたものであって、同日に手続補正がなされ、平成１８年８月２２日付けで拒絶理由が通知され、その後同年１１月１３日付けで拒絶査定がなされ、これに対し、同年１２月２１日に拒絶査定不服審判請求がなされるとともに平成１９年１月１０日に手続補正がなされたものである。
　  
ＩＩ．平成１９年１月１０日付けの手続補正についての補正却下の決定  
［補正却下の決定の結論］  
　平成１９年１月１０日付けの手続補正（以下「本件補正」という。）を却下する。  
　　  
［理由］  
１．本件補正の内容
　本件補正は、補正前の請求項１（平成１７年９月１日付け手続補正後のもの。）を以下のように補正し、補正後の請求項１とすることを含むものである。
　　  
「相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
　上記Ｎ本の走査電極のうち１本目の走査電極の外側に隣接し且つ該１本目の走査電極に並行して延びるように設けられた第１ダミー走査電極と、
　１行目の上記正規の画素電極の電極群の外側に隣接し且つ上記第１ダミー走査電極に対応するように設けられ上記正規の画素電極と平面形状の外寸法が同一に形成された第１ダミー画素電極と、
をさらに備え、
　上記第１ダミー画素電極の領域には、記号が設けられていることを特徴とする表示装置。」
　　  
　上記請求項１に係る補正は、補正前の請求項１に記載した発明を特定するために必要な事項である「第１ダミー画素電極」について、「正規の画素電極と平面形状の外寸法が同一に形成された」ことを付加することにより限定を行うことを含むものであるから、平成１４年改正前特許法第１７条の２第４項第２号の特許請求の範囲の減縮を目的とするものに該当する。 
　　  
　そこで、本件補正後の請求項１に記載された発明（以下「本願補正発明」という。）が特許出願の際独立して特許を受けることができるものであるか（平成１４年改正前特許法第１７条の２第５項において準用する同法第１２６条第４項の規定に適合するか）について以下に検討する。 
　　  
２．引用刊行物の記載事項  
２．１．引用刊行物１
　原出願の出願前に頒布された刊行物である特開平２−２３６５８９号公報（以下「引用刊行物１」という。）には、図面と共に以下の事項が記載されている。
　  
（１）「５．複数の走査線を有する液晶ディスプレイ装置であって、上記ディスプレイ装置の表示領域の外側にダミーの画素部を設け、これらのダミーの画素に対応した液晶に加える交流電圧の平均振幅を上記表示領域部に印加する交流電圧の平均振幅より大きくしたことを特徴とする液晶ディスプレイ装置。
・・・（略）・・・
８．ダミー画素がディスプレイ装置の上辺、下辺に設置されたダミー走査線に対応する画素からなることを特徴とする請求項５または７記載の液晶ディスプレイ装置。
９．ダミー走査線の数が上辺、下辺ともに３本以内であることを特徴とする請求項８記載の液晶ディスプレイ装置。
１０．ダミー走査線の数が上辺および下辺のそれぞれ１本であることを特徴とする請求項９記載の液晶ディスプレイ装置。」（１頁右下欄２行−２頁左上欄９行）
　　
（２）「ここでダミー画素とは、画像表示用としては用いられない画素をいう。同様にダミー走査線とは、画像表示のための走査線としては用いられない線を指し、画像表示用の本来の走査線の群の外側に、これら本来の走査線とほぼ平行に配置される導体線である。」（３頁右上欄３−８行）
　　
（３）「【実施例】
　以下、本発明の一実施例を第１図により説明する。
　第１図は本発明にかかる液晶モジュールの構成を示したものである。液晶モジュールは液晶が封入された領域４と水平走査回路３と垂直走査回路２をフレキシブルケーブルで結んだ構成となっている。各々の走査回路はＴＡＢ（Ｔａｐｅ　Ａｕｔｏｍａｔｅｄ　Ｂｏｎｄｉｎｇ）による接続を用いた。表示部の対角寸法は６．３吋で、画素数（表示部）は４８０（Ｖ）×６４０（Ｈ）である。
　垂直走査線は４８０本であるが，その上下に各々３本ずつのダミー線を設け全体で４８６本の垂直走査線を有するパネルとした。表示部の走査線とダミー部の走査線は全く同じ構成とした。画素の構成も同じである。上下の３本ずつのダミー線に対応する画素には電圧は印加されるが、この部分は表示領域ではなく、外部からは見えないようにふちどり（目かくし）される。
・・・（略）・・・
　本発明の別の実施例について次に述べる。第２図に示すように各画素は非晶質シリコン薄膜トランジスタにより駆動される液晶画素７で構成されている。容量７で表わされた液晶の対向電極は共通に接続され、通常接地される。パネル表示部の対角寸法は１０インチの非晶質薄膜トランジスタ駆動ツイステッドネマチック型液晶ディスプレイ装置である。パネルはノーマリホワイト構成とした。すなわちパネルは最小電圧印加時に最も輝度が高く最大電圧印加時が最も輝度が低い。表示部の走査線数４８０本に対し、全体のゲート線数は４８２本とし、上下一本ずつのダミー線を設けた。（＃１，＃４８２がダミー線）。ダミー線に付随した画素に印加する電圧は第３図に示すような波形（最大振幅電圧±６．５Ｖ）とした。この２本のダミー線は前記実施例と同様目かくしされている。」（３頁右下欄４行−４頁左下欄８行）
　　
（４）「以上、実施例に即して本発明を説明したが、本発明の主旨はこれに限るものではない。すなわちダミー線の構成は画素部あるいは表示領域と同じであるとしたが，必ずしも同一である必要はない。走査線ピッチが多少違ってもよいし画素トランジスタ、電極等の構成寸法が異ってもよい。表示部とダミー部の間はギャップ（基板平面方向の間隔のこと）が少し大きくなっていてもよい。
　また液晶もＴＮ型について述べたが、ＴＮ型に限られるわけではない。液晶パネルの大きさも１０インチ対角に限定されるわけではなくそれ以上の大きさに対しても有効である。また薄膜トランジスタを用いたアクティブマトリクスについて述べたが、ダイオード型のアクティブマトリクスでもよい。」（５頁右上欄５−１９行）
　　 
（５）第２図から、相互に並行して延びる複数のゲート線５と、該ゲート線５の延びる方向と直交する方向に延びる複数の信号線６と、マトリクス状に配設され前記信号線６に接続された複数の液晶画素７と、
　「＃２」が付されたゲート線に隣接し該ゲート線に並行して延びるように設けられた「＃１」が付されたダミー線と、
　「＃２」が付されたゲート線に対応する複数の液晶画素７に隣接し、「＃１」が付されたダミー線に対応するように設けられた液晶画素７と、
が見てとれる。
　　
　よって、これらを総合すると、引用刊行物１には、
「表示部において相互に並行して延びる４８０本の垂直走査線と、該垂直走査線の延びる方向と直交する方向に延びる複数の信号線と、マトリクス状に配設され前記信号線に接続された複数の画素と、液晶と、を備え、
　前記４８０本の垂直走査線のうち、１本目の垂直走査線の表示部外側に隣接するダミー部において、該１本目の垂直走査線に並行して延びるように設けられたダミー走査線と、
　前記１本目の垂直走査線に対応する複数の画素の表示部外側に隣接する前記ダミー部において、前記ダミー走査線に対応するように設けられた複数のダミー画素と、
をさらに備え、
　前記表示部と前記ダミー部とで走査線及び画素の構成が同じであるが、走査線ピッチが多少違ってもよいし、画素トランジスタ、電極等の構成寸法が異ってもよい液晶ディスプレイ装置。」
の発明（以下「引用発明」という。）が記載されていると認められる。  
　　 
２．２．引用刊行物２
　原出願の出願前に頒布された刊行物である特開平２−１４０７２１号公報（以下「引用刊行物２」という。）には、図面と共に以下の事項が記載されている。
　　
（１）「【特許請求の範囲】
（１）非線形素子を備えたアクティブマトリックス型液晶表示装置において、各絵素電極内に、夫々抜きパターンで番号が形成されていることを特徴とする液晶表示装置。
（２）非線形素子を備えたアクティブマトリックス型液晶表示装置において、各絵素電極内に、夫々透明電極膜を用いて残しパターンで番号が形成されていることを特徴とする液晶表示装置。」（１頁左下欄４−１３行）
　　
（２）「〈実施例〉
　以下、本発明を図示の実施例により詳細に説明する。
　第１図は本発明の第１の液晶表示装置の一例を示す平面図である。このアクティブマトリックス型液晶表示装置１は、ガラス基板上に縦横に等間隔をおいて格子状に設けられたソースバスライン５とゲートライン４で囲まれる各矩形領域に、ＩＴＯ（酸化インジウム）からなる透明の絵素電極２をマトリックス状に配設するとともに、各絵素電極２の左上隅に、この絵素電極２に連なるドレイン電極Ｄ、上記ソースバスライン５に連なるソース電極Ｓ、上記ゲートバスライン４に連なるゲート電極Ｇおよび半導体１０からなる非線形素子としての薄膜トランジスタ３を夫々配設している。
上記各部材は、絵素電極２を除いて第３図で述べた従来の液晶表示装置と同じものであり、同じ部材には同一番号を付して説明を省略する。また、上記薄膜トランジスタ３の構造も、第４図で述べたものと全く同じである。
　上記絵素電極２内には、その絵素電極に個有の識別番号２０を、絵素電極形成と同時にホトリソグラフィ法による抜きパターンにて第１図の“１５，１６，３０１，３０２”の如く通し番号で形成している。
　上記構成の液晶表示装置における各絵素電極２の上記識別番号２０の作用は、次のとおりである。
　上記識別番号２０は、従来のようにバスラインと同じメタル材料によるパターンでなく、透明な絵素電極２を貫通する抜きパターンで形成されているので、形成時にパターンがくずれるなどしてこれがゲート、ソースバスライン４，５に接触したとしても、導電性がないから液晶駆動時にリークが生じず、表示不良が発生しない。また、抜きパターンだから光を遮らず、絵素電極２の開口率が向上して高品位表示ができる。さらに、抜きパターンにより識別番号２０とその周辺素地（２）間に適度なコントラストが得られ、識別番号２０が容易に目視確認できるので、製品検査時に見つかった欠陥箇所の位置が明確になり、適切な修理、補修等の措置を直ちにとることができる。つまり、各絵素電極２に抜きパターンで形成された識別番号２０によって、表示不良のない高表示品位の液晶表示装置を提供することが可能になるのである。」（２頁左下欄１４行−３頁左上欄１７行）
　　
３．対比
　本願補正発明と引用発明とを以下に対比する。  
（１）引用発明の「表示部において相互に並行して延びる４８０本の垂直走査線」は、本願補正発明の「相互に並行して延びるように番号１から番号Ｎまで番号順に設けられたＮ本の正規の走査電極」に相当する。
（２）引用発明の「信号線」、「液晶」、「ダミー走査線」及び「液晶ディスプレイ装置」は、それぞれ、本願補正発明の「信号配線」、「誘電性材料層」、「第１ダミー走査電極」及び「表示装置」に相当する。
（３）引用発明の「画素」及び「ダミー画素」は、画素電極を備えることが明らかであるところ、当該画素電極は、それぞれ、本願補正発明の「正規の画素電極」及び「第１ダミー画素電極」に相当する。
　　 
　したがって、両者は、  
「相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
　上記Ｎ本の走査電極のうち１本目の走査電極の外側に隣接し且つ該１本目の走査電極に並行して延びるように設けられた第１ダミー走査電極と、
　１行目の上記正規の画素電極の電極群の外側に隣接し且つ上記第１ダミー走査電極に対応するように設けられた第１ダミー画素電極と、
をさらに備える表示装置。」
である点で一致し、以下の点で相違する。  
　　  
相違点１：  
　第１ダミー画素電極が、本願補正発明では、「正規の画素電極と平面形状の外寸法が同一に形成され」たものであるのに対し、引用発明では、表示部とダミー部とで「画素の構成が同じ」であるが、外寸法が同一であるかについては明確でない点。  
　　  
相違点２： 
　第１ダミー画素電極の領域に、本願補正発明では、「記号が設けられている」のに対し、引用発明では、記号が設けられていない点。 
　　 
４．判断  
（１）相違点１についての判断
　引用発明は、表示部とダミー部とで「画素の構成が同じ」である一方で「電極等の構成寸法が異ってもよい」ところ、このことは、「電極等の構成寸法」が同じものとすることがあることを前提として、「異なってもよい」とするものであると理解できる。
　してみると、表示部とダミー部とで「電極等の構成寸法が異なってもよい」引用発明において、電極の寸法を同じものとし、第１のダミー画素電極が「正規の画素電極と平面形状の外寸法が同一に形成され」たものであるとする、相違点１に係る本願補正発明の構成とすることは、当業者が適宜なし得る程度のことである。
　　 
（２）相違点２についての判断 
　引用刊行物２には、液晶表示装置において、「各絵素電極内に、夫々抜きパターンで番号が形成されている」（上記２．２．（１））、「絵素電極２内には、その絵素電極に個有の識別番号２０を・・・通し番号で形成している。」（上記２．２．（２））、画素電極に記号を形成したことにより、「識別番号２０が容易に目視確認できるので、製品検査時に見つかった欠陥箇所の位置が明確になり、適切な修理、補修等の措置を直ちにとることができる。」（上記２．２．（２））と記載されているから、引用刊行物２には、各画素電極に、検査や修理、補修の際に使用する個有の記号を設けたものが記載されているものと認められる。
　してみると、引用発明において、画素電極の良／不良の検査を行う便に供するために、検査や修理、補修の際に使用する記号を正規の画素電極や第１ダミー画素電極に設けることは、引用刊行物２に記載された事項に基づいて当業者が容易になし得たことであるから、引用発明において、相違点２に係る本願補正発明の構成をなすことは、当業者が容易になし得たことである。
　　
　また、各画素電極に設けた個有の記号が、各画素電極の属性を表示する機能を有することは明らかであるから、本願補正発明が、ダミー画素電極に記号が設けられていることによって奏する効果は、引用発明及び引用刊行物２に記載された事項から予想できた程度のものである。
　  
　したがって、本願補正発明は、引用刊行物１に記載された発明及び引用刊行物２に記載された事項に基づいて当業者が容易に発明をすることができたものであるから、特許法第２９条第２項の規定により、特許出願の際独立して特許を受けることができないものである。 
　　  
４．まとめ　　  
　以上のとおり、本件補正は、平成１４年改正前特許法第１７条の２第５項において準用する同法第１２６条第４項の規定に違反するので、同法第１５９条第１項の規定において読み替えて準用する同法第５３条第１項の規定により却下すべきものである。  
　　  
ＩＩＩ．  
１．本願発明  
　平成１９年１月１０日付けの手続補正は上記のとおり却下されたので、本願の請求項に係る発明は、平成１７年９月１日付け手続補正により補正された特許請求の範囲の請求項１−８に記載された事項により特定されるものであるところ、その請求項１に係る発明は次のとおりのものである。  
　　  
「相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
　上記Ｎ本の走査電極のうち１本目の走査電極の外側に隣接し且つ該１本目の走査電極に並行して延びるように設けられた第１ダミー走査電極と、
　１行目の上記正規の画素電極の電極群の外側に隣接し且つ上記第１ダミー走査電極に対応するように設けられた第１ダミー画素電極と、
をさらに備え、
　上記第１ダミー画素電極の領域には、記号が設けられていることを特徴とする表示装置。」（以下「本願発明」という。）  
　　  
２．引用刊行物の記載事項  
　原査定の理由で引用された引用刊行物及びその記載事項は、上記ＩＩ．２．に記載したとおりである。  
　　  
３．対比、判断  
　本願発明は、上記ＩＩ．３．で検討した本願補正発明から、「第１ダミー画素電極」について、「正規の画素電極と平面形状の外寸法が同一に形成された」との限定を解除したものに相当する。  
　そうすると、本願発明の発明特定事項を全て含み、かつ限定を付加した本願補正発明が、上記ＩＩ．４．に記載したとおり、引用刊行物１に記載された発明及び引用刊行物２に記載された事項に基づいて当業者が容易に発明をすることができたものであるから、本願発明も同様の理由により、引用刊行物１に記載された発明及び引用刊行物２に記載された事項に基づいて当業者が容易に発明をすることができたものである。  
　　  
４．むすび  
　したがって、本願発明は、引用刊行物１に記載された発明及び引用刊行物２に記載された事項に基づいて当業者が容易に発明をすることができたものであるから、特許法第２９条第２項の規定により、特許を受けることができない。  
　　  
　よって、結論のとおり審決する。